(57)【要約】【課題】アクセスポイントを用いて効果的に訪問促進および販売促進を行うこと。【解決手段】  配信サーバは、アクセスポイントが設置された場所への訪問を促す訪問促進情報を受け付ける訪問促進情報受付部と、訪問促進情報に対応するアクセスポイントとは異なる他のアクセスポイントに接続している情報端末に対し、訪問促進情報を配信する訪問促進情報配信部と、訪問促進情報を受信した情報端末から、情報端末の移動した場所を示す訪問情報を取得する訪問情報取得部と、訪問情報に基づいて、訪問促進情報に対応するアクセスポイントに接続している情報端末に対し、販売促進情報を配信する販売促進情報配信部と、販売促進情報を受信した情報端末から、販売促進情報に対応する行動を追跡する追跡情報を取得する追跡情報取得部と、を備える。【選択図】図３
2020119280.tif 000002
【特許請求の範囲】
【請求項１】
アクセスポイントが設置された場所への訪問を促す訪問促進情報を受け付ける訪問促進情報受付部と、
前記訪問促進情報に対応するアクセスポイントとは異なる他のアクセスポイントに接続している情報端末に対し、前記訪問促進情報を配信する訪問促進情報配信部と、
前記訪問促進情報を受信した情報端末から、情報端末の移動した場所を示す訪問情報を取得する訪問情報取得部と、
前記訪問情報に基づいて、前記訪問促進情報に対応するアクセスポイントに接続している情報端末に対し、販売促進情報を配信する販売促進情報配信部と、
前記販売促進情報を受信した情報端末から、前記販売促進情報に対応する行動を追跡する追跡情報を取得する追跡情報取得部と、
を備える配信サーバ。
【請求項２】
前記訪問情報は、前記情報端末のアクセスポイントに対する接続情報を含む、請求項１に記載の配信サーバ。
【請求項３】
情報端末の位置情報を取得する位置情報取得部をさらに備え、
前記訪問促進情報配信部は、前記位置情報に基づき、所定のエリアに位置する情報端末に対し、前記訪問促進情報を配信する、請求項１または請求項２に記載の配信サーバ。
【請求項４】
前記所定のエリアは、前記アクセスポイントの通信エリアとは異なる、請求項３に記載の配信サーバ。
【請求項５】
前記訪問情報および前記追跡情報に基づき、前記訪問促進情報および販売促進情報の効果を評価する評価部をさらに備える、請求項１から請求項４のいずれか一項に記載の配信サーバ。
【請求項６】
前記訪問促進情報は、アクセスポイントが設置された店舗への来店を促す情報であり、前記販売促進情報は、前記店舗において提供される商品に関する情報である、請求項１から請求項５のいずれか一項に記載の配信サーバ。
【請求項７】
アクセスポイントが設置された場所への訪問を促す訪問促進情報を受け付ける訪問促進情報受付部と、
前記訪問促進情報に対応するアクセスポイントとは異なる他のアクセスポイントに接続している情報端末に対し、前記訪問促進情報を配信する訪問促進情報配信部と、
前記訪問促進情報を受信した情報端末から、情報端末の移動した場所を示す訪問情報を取得する訪問情報取得部と、
前記訪問情報に基づいて、前記訪問促進情報に対応するアクセスポイントに接続している情報端末に対し、販売促進情報を配信する販売促進情報配信部と、
前記販売促進情報を受信した情報端末から、前記販売促進情報に対応する行動を追跡する追跡情報を取得する追跡情報取得部と、
を備える配信システム。
【請求項８】
アクセスポイントが設置された場所への訪問を促す訪問促進情報を受け付けるステップと、
前記訪問促進情報に対応するアクセスポイントとは異なる他のアクセスポイントに接続している情報端末に対し、前記訪問促進情報を配信するステップと、
前記訪問促進情報を受信した情報端末から、情報端末の移動した場所を示す訪問情報を取得するステップと、
前記訪問情報に基づいて、前記訪問促進情報に対応するアクセスポイントに接続している情報端末に対し、販売促進情報を配信するステップと、
前記販売促進情報を受信した情報端末から、前記販売促進情報に対応する行動を追跡する追跡情報を取得するステップと、
を備える配信方法。
【請求項９】
請求項８に記載の配信方法をコンピュータに実行させるための配信プログラム。
【発明の詳細な説明】
【技術分野】
【０００１】
本開示は、配信サーバ、配信システム、配信方法および配信プログラムに関する。
【背景技術】
【０００２】
近年、無線ＬＡＮ（Local Area Network）の普及に伴い、コンビニエンスストア、カフェ、ホテル等に設置されたアクセスポイントを介してインターネット接続を可能とする公衆無線ＬＡＮのサービス（フリースポットなど）が、さまざまな事業者によって提供されている。例えば、特許文献１には、多様な公衆無線ＬＡＮに対する接続のための手間を低減し、ユーザの利便性を向上させる技術について開示されている。
【先行技術文献】
【特許文献】
【０００３】
【特許文献１】特開２０１８−９８６９５号公報
【発明の概要】
【発明が解決しようとする課題】
【０００４】
しかしながら、特許文献１に記載される技術は、公衆無線ＬＡＮのユーザにとっての利便性は向上するものの、アクセスポイントを設置して公衆無線ＬＡＮのサービスを提供する事業者にとっては、アクセスポイント設置による利益を享受できていないという課題があった。
【０００５】
そこで、本開示は、上記課題を解決すべくなされたものであって、その目的は、アクセスポイントを用いて効果的に訪問促進および販売促進を行うことができる配信サーバ、配信システム、配信方法および配信プログラムを提供することである。
【課題を解決するための手段】
【０００６】
上記目的を達成するため、本開示の第１の観点に係る配信サーバは、アクセスポイントが設置された場所への訪問を促す訪問促進情報を受け付ける訪問促進情報受付部と、訪問促進情報に対応するアクセスポイントとは異なる他のアクセスポイントに接続している情報端末に対し、訪問促進情報を配信する訪問促進情報配信部と、訪問促進情報を受信した情報端末から、情報端末の移動した場所を示す訪問情報を取得する訪問情報取得部と、訪問情報に基づいて、訪問促進情報に対応するアクセスポイントに接続している情報端末に対し、販売促進情報を配信する販売促進情報配信部と、販売促進情報を受信した情報端末から、販売促進情報に対応する行動を追跡する追跡情報を取得する追跡情報取得部と、を備える。
【０００７】
また、上記目的を達成するため、本開示の第２の観点に係る配信システムは、アクセスポイントが設置された場所への訪問を促す訪問促進情報を受け付ける訪問促進情報受付部と、訪問促進情報に対応するアクセスポイントとは異なる他のアクセスポイントに接続している情報端末に対し、訪問促進情報を配信する訪問促進情報配信部と、訪問促進情報を受信した情報端末から、情報端末の移動した場所を示す訪問情報を取得する訪問情報取得部と、訪問情報に基づいて、訪問促進情報に対応するアクセスポイントに接続している情報端末に対し、販売促進情報を配信する販売促進情報配信部と、販売促進情報を受信した情報端末から、販売促進情報に対応する行動を追跡する追跡情報を取得する追跡情報取得部と、を備える。
【０００８】
また、上記目的を達成するため、本開示の第３の観点に係る配信方法は、アクセスポイントが設置された場所への訪問を促す訪問促進情報を受け付けるステップと、訪問促進情報に対応するアクセスポイントとは異なる他のアクセスポイントに接続している情報端末に対し、訪問促進情報を配信するステップと、訪問促進情報を受信した情報端末から、情報端末の移動した場所を示す訪問情報を取得するステップと、訪問情報に基づいて、訪問促進情報に対応するアクセスポイントに接続している情報端末に対し、販売促進情報を配信するステップと、販売促進情報を受信した情報端末から、販売促進情報に対応する行動を追跡する追跡情報を取得するステップと、を備える。
【０００９】
また、上記目的を達成するため、本開示の第４の観点に係る配信プログラムは、上述の配信方法をコンピュータに実行させる。
【発明の効果】
【００１０】
本開示によれば、アクセスポイントを用いて効果的に訪問促進および販売促進を行うことができる。
【図面の簡単な説明】
【００１１】
【図１】本実施形態に係る配信システム１の構成図である。
【図２】配信システム１におけるアクセスポイントを説明するための図である。
【図３】配信サーバ１０の機能構成の一例を示すブロック図である。
【図４】訪問促進情報の一例を示す図である。
【図５】訪問促進情報の配信リストの一例を示す図である。
【図６】販売促進情報の一例を示す図である。
【図７】販売促進情報の配信リストの一例を示す図である。
【図８】アクセスポイントリストの一例を示す図である。
【図９】訪問情報の一例を示す図である。
【図１０】追跡情報リストの一例を示す図である。
【図１１】追跡情報を説明するための図である。
【図１２】情報端末２０の機能構成の一例を示す機能ブロック図である。
【図１３】配信システム１の処理の流れを示すシーケンス図である。
【図１４】配信システム１の処理の流れを示すシーケンス図である。
【図１５】配信サーバ１０のハードウェア構成を示すブロック図である。
【発明を実施するための形態】
【００１２】
以下、本開示の実施形態について図面を参照して説明する。実施形態を説明する全図において、共通の構成要素には同一の符号を付し、繰り返しの説明を省略する。なお、以下に説明する実施形態は、特許請求の範囲に記載された本開示の内容を不当に限定するものではない。また、実施形態に示される構成要素のすべてが、本開示の必須の構成要素であるとは限らない。
【００１３】
＜実施形態＞
（実施形態の概要）
本実施形態に係る配信システムは、アクセスポイントを用いて効果的に訪問促進および販売促進を行うためのシステムである。近年、さまざまな事業者によって、コンビニエンスストア、カフェ、ホテル等に設置されたアクセスポイントを介して無線ＬＡＮによるインターネット接続を可能とする公衆無線ＬＡＮのサービスが提供されている。アクセスポイントを設置して公衆無線ＬＡＮのサービスを提供することにより、ユーザの利便性を向上させることはできるものの、当該サービスの提供者が、アクセスポイント設置の利益を享受することは難しかった。
【００１４】
そこで、本実施形態に係る配信システムは、まず、アクセスポイントが設置された場所（例えば、店舗等）への訪問を促す訪問促進情報を情報端末へ配信する。そして、訪問促進情報に対応するアクセスポイントの通信エリアに移動した情報端末に対し、当該アクセスポイントを介して、販売促進情報（例えば、アプリ広告等）を配信する。このようにアクセスポイントを介して訪問促進情報や販売促進情報を配信することにより、アクセスポイントを利用して収益につなげることができる。
【００１５】
また、本実施形態に係る配信システムは、訪問促進情報、販売促進情報を配信した情報端末から、情報端末が移動した場所を示す訪問情報や、販売促進情報に対応する行動を追跡する追跡情報を取得し、取得した情報に基づいて、訪問促進情報や販売促進情報の効果を評価する。これにより、訪問促進情報や販売促進情報がどの程度収益につながっているかを把握することができる。また、そのような収益につながるアクセスポイントの設置に対するモチベーション向上に役立てることができる。
【００１６】
以下の説明では、訪問促進情報および販売促進情報を総称して「促進情報」と記載する場合がある。また、促進情報の提供者、すなわち、アクセスポイントが設置された場所（例えば、店舗等）の管理者や運営者等を「広告主」と記載する場合がある。
【００１７】
（配信システム１の構成）
図１は、本実施形態に係る配信システム１の構成図である。図１を参照して、配信システム１の構成及びその概要について説明する。
【００１８】
図１において、配信システム１は、配信サーバ１０と、情報端末２０と、公衆無線ＬＡＮ―ＡＰ３０−１，３０−２，…，３０−Ｎ（Ｎは自然数。また、特に区別する必要がない限り、アクセスポイント３０と記載する。）と、広告主端末４０と、を備える。
【００１９】
配信サーバ１０および広告主端末４０は、インターネット等のネットワークＮＷに接続される。また、情報端末２０は、アクセスポイント３０を介してネットワークＮＷに接続される。
【００２０】
配信サーバ１０は、情報端末２０に訪問促進情報および販売促進情報を配信する機能と、情報端末２０から取得する情報に基づいて、アクセスポイント設置の効果を評価する機能とを有する。配信サーバ１０は、アクセスポイント３０を介して、情報端末２０に対し、例えば、プッシュ通知によって、促進情報を配信する。
【００２１】
情報端末２０は、ユーザが保有する情報処理端末であって、例えば、スマートフォンやタブレット端末、スマートウォッチ、ヘッドマウントディスプレイ等によって実現される。なお、本実施形態では、ユーザとは、配信システム１において、後述する訪問情報や追跡情報等を配信サーバ１０に取得させるプログラム（例えば、スマートフォン専用のアプリ）をインストールした情報端末２０を保有する者のことをいう。
【００２２】
情報端末２０は、情報端末２０にインストールされたプログラムを実行して、配信サーバ１０からアクセスポイント３０を介して配信される促進情報を受信する。また、情報端末２０は、後述する訪問情報や追跡情報を配信サーバ１０に送信する。なお、情報端末２０は、複数であってよく、図１においては、説明を簡略化するため１台のみ記載する。
【００２３】
アクセスポイント３０は、コンビニエンスストア、カフェ、ホテル等の公共性のある場所に設置されている無線ＬＡＮのアクセスポイントで、様々なユーザが公衆回線としてアクセス可能である。アクセスポイント３０は、ネットワークＮＷと接続されており、アクセスポイント３０から電波の届く通信エリア内に入った情報端末２０は、アクセスポイント３０を介してネットワークＮＷに接続することができる。すなわち、情報端末２０は、ネットワークＮＷを介して、配信サーバ１０と通信可能に接続される。
【００２４】
また、アクセスポイント３０は、情報端末２０からの要求に応じて、アクセスポイント３０の識別情報（ＩＤ）を接続情報として送信してもよい。アクセスポイント３０のＩＤは、例えば、アクセスポイント３０に割り当てられたＢＳＳＩＤ（Basic Service Set Identifier）である。なお、接続情報には、アクセスポイント３０に接続した日時などを含めてもよい。
【００２５】
本実施形態において、例えば、アクセスポイント３０−１が設置された場所への訪問を促す訪問促進情報は、アクセスポイント３０−１とは異なるアクセスポイント３０−２から配信される。これにより、訪問を促したい場所に設置されたアクセスポイントの通信エリアとは異なる通信エリアにいる情報端末２０を保有するユーザに訪問を促し、効果的に集客を行うことができる。
【００２６】
広告主端末４０は、広告主が促進情報を入力するための情報端末であり、広告主から入力された促進情報を配信サーバ１０に送信する。ここで、広告主とは、個人を限定して指すものではなく、店舗の運営会社や、アプリケーションの開発者等を含む。
【００２７】
図２は、配信システム１におけるアクセスポイントを説明するための図である。図２は、ある地域の地図を示しており、図中の黒丸（●）は無線ＬＡＮのアクセスポイント（図１のアクセスポイント３０に相当。）である。図２に示すように、アクセスポイントは、地域の様々な店舗や駅等に設置されており、アクセスポイントからの電波が届く通信エリアに入った情報端末と無線で通信を行う。例えば、アクセスポイントＡＰ０の通信エリアＲ０に入った情報端末は、アクセスポイントＡＰ０を介してネットワークＮＷに接続することができる。
【００２８】
本実施形態において、例えば、アクセスポイントＡＰ１が設置された店舗Ｓについて集客したい場合、アクセスポイントＡＰ１とは異なる他のアクセスポイントから、アクセスポイントＡＰ１が設置された店舗Ｓへの訪問を促す訪問促進情報を配信する。これにより、集客したい店舗Ｓに設置されたアクセスポイントＡＰ１の通信エリアに滞在していない情報端末のユーザに対して訪問を促し、効果的に集客を行うことができる。
【００２９】
なお、アクセスポイントＡＰ１が設置された場所（店舗Ｓ）に対応する訪問促進情報を配信させる他のアクセスポイントは、どの場所に設置されたものであってもよいが、店舗Ｓの周辺領域Ｄ１内に設置されたものであることが好ましい。一般的に、店舗Ｓの近くに滞在するユーザに訪問を促す方が、訪問率が高くなるため、集客の効果を高めることができるからである。
【００３０】
（配信サーバ１０の機能構成）
図３は、配信サーバ１０の機能構成の一例を示すブロック図である。図３を参照して、配信サーバ１０の機能構成について説明する。
【００３１】
配信サーバ１０は、通信部１１０と、記憶部１２０と、制御部１３０とを有する。なお、配信サーバ１０は、配信サーバ１０を利用する管理者等から各種操作を受け付ける入力部（例えば、キーボードやマウス等）や、各種情報を表示するための表示部（例えば、液晶ディスプレイ等）を有してもよい。
【００３２】
通信部１１０は、ネットワークＮＷに接続された情報端末２０等と通信を行うための各種制御を行うものであり、その機能は、各種プロセッサ又は通信用ＡＳＩＣなどのハードウェアや、プログラムなどにより実現できる。
【００３３】
記憶部１２０は、例えば、ＲＡＭ、フラッシュメモリ等の半導体メモリ素子、または、ハードディスク、光ディスク等の記憶装置によって実現される。記憶部１２０は、訪問促進情報ＤＢ１２１と、販売促進情報ＤＢ１２２と、アクセスポイントＤＢ１２３と、訪問情報ＤＢ１２４と、追跡情報ＤＢ１２５と、を有する。
【００３４】
訪問促進情報ＤＢ１２１は、広告主端末４０から通信部１１０を介して、後述する制御部１３０の受付部１３１が受け付けた訪問促進情報を記憶するデータベースである。訪問促進情報は、例えば、アクセスポイントを設置した場所（店舗）の管理者や運営者等によって入力される、アクセスポイントが設置された場所への訪問を促す情報である。なお、本実施形態において、訪問促進情報に対応するアクセスポイントとは、訪問促進情報が訪問を促す場所へ設置されたアクセスポイントを意味する。
【００３５】
また、訪問促進情報ＤＢ１２１は、受け付けた訪問促進情報を配信するアクセスポイントを示す配信リストを記憶する。なお、配信するアクセスポイントは、上記管理者等から訪問促進情報と共に入力されてもよいし、配信するアクセスポイントを自動的に設定してもよい。例えば、訪問促進情報に対応するアクセスポイントの設置場所を中心とする所定の半径の領域内に設置されたアクセスポイントを配信するアクセスポイントとして設定してもよい。また、上記管理者等から訪問促進情報を配信する配信エリアの設定を受け付け、配信エリア内に設置されたアクセスポイントを配信するアクセスポイントとして設定してもよい。
【００３６】
図４は、訪問促進情報の一例を示す図である。図４において、情報端末２０のディスプレイ４００には、訪問促進情報４１０が表示されている。例えば、情報端末２０が、アクセスポイントに接続すると、「○○ＷｉＦｉに接続しました」のような接続状況とともに、アクセスポイントが設置されているＡＢＣカフェへの訪問を促すテキストが表示される。情報端末２０が接続したアクセスポイントの位置に応じて、訪問を促したい場所までの距離や移動時間が表示してもよい。また、地図画像や、地図をディスプレイ４００に表示させるためのリンクを表示してもよい。具体的な場所に関する情報を示すことにより、ユーザに対し訪問する意欲を起こさせることができる。
【００３７】
図５は、訪問促進情報の配信リストの一例を示す図である。図５において、訪問促進情報を識別するＩＤと、訪問促進情報に対応するアクセスポイントのＩＤ、訪問促進情報を配信するアクセスポイントのＩＤとが関連付けられている。例えば、訪問促進情報Ａ１は、アクセスポイントＡＰ１が設置された場所への訪問を促す情報であり、アクセスポイントＡＰ２，ＡＰ５…から配信される。また、例えば、訪問促進情報Ａ２は、アクセスポイントＡＰ１０が設置された場所への訪問を促す情報であり、アクセスポイントＡＰ１１，ＡＰ１２…から配信される。
【００３８】
図３に戻って、記憶部１２０の販売促進情報ＤＢ１２２は、広告主端末４０から通信部１１０を介して、後述する制御部１３０の受付部１３１が受け付けた販売促進情報を記憶するデータベースである。販売促進情報は、例えば、アクセスポイントを設置した場所（店舗）に滞在するユーザに対して、広告等を配信したい広告主によって入力される情報である。販売促進情報は、例えば、店舗において提供される商品に関する情報であり、より具体的には、コンビニエンスストアにおいて提供されるコーヒーや、ファーストフード店において提供されるハンバーガーなど、店舗において販売を促進したい商品である。また、販売促進のためのクーポン情報や、スマートフォンで用いられる決済アプリの利用を促す広告であってもよい。また、例えば、アクセスポイントを設置した場所（店舗）に滞在するユーザの好みや年齢、性別等の属性に着目し、属性に応じたＷｅｂサイトの訪問や商品購入を促す広告であってもよい。
【００３９】
また、販売促進情報ＤＢ１２２は、受け付けた販売促進情報を配信するアクセスポイントを示す配信リストを記憶する。なお、配信するアクセスポイントは、上記広告主から販売促進情報と共に入力されてもよい。また、アクセスポイントを設置した場所（店舗）の管理者等が、自アクセスポイントから配信する販売促進情報を選択するようにしてもよい。店舗の管理者等は、来店するユーザの属性を考慮して、自店舗での収益向上につながりそうな広告を選択することができるため、アクセスポイント設置の利益を実感しやすくなる。
【００４０】
図６は、販売促進情報の一例を示す図である。図６において、情報端末２０のディスプレイ４００には、販売促進情報４２０が表示されている。例えば、情報端末２０が、アクセスポイントに接続すると、「ＡＢＣカフェＷｉＦｉに接続しています」のような接続状況とともに、アクセスポイントが設置されているＡＢＣカフェで利用可能な○○Ｐａｙの利用を促すテキスト（店舗で利用可能な購入手段に関する情報に相当。）が表示される。セール情報なども一緒に表示させることにより、ユーザに○○Ｐａｙの利用をより促すことができる。
【００４１】
図７は、販売促進情報の配信リストの一例を示す図である。図７において、販売促進情報を配信するアクセスポイントのＩＤ、当該アクセスポイントの設置場所（店舗）、および販売促進情報を識別するＩＤが関連付けられている。例えば、ＡＢＣカフェに設置されるアクセスポイントＡＰ２１からは販売促進情報Ｂ１，Ｂ２，Ｂ３のいずれかが配信される。また、例えば、ＤＥＦ美容院に設置されるアクセスポイントＡＰ２２からは販売促進情報Ｂ２またはＢ４が配信される。また、例えば、ＧＨＩレストランに設置されるアクセスポイントＡＰ２３からは販売促進情報Ｂ１，Ｂ３，Ｂ５，Ｂ６のいずれかが配信される。
【００４２】
後述する配信部１３２は、アクセスポイントごとに関連付けられた販売促進情報のうち、情報端末２０にインストールされているアプリケーションの情報、および、アクセスポイントが設置されている店舗で利用できるアプリケーションやクーポンの情報に基づいて、配信する販売促進情報を選択する。一般的に、ユーザごとに情報端末２０にインストールされているアプリケーションは異なり、また、店舗で利用できるアプリケーションやクーポンも異なるため、各アクセスポイントから配信する販売促進情報を複数関連付けておくことは有用である。これにより、配信部１３２は、ユーザごとに適切な販売促進情報を配信することができる。
【００４３】
また、配信部１３２は、後述する訪問情報取得部１３４が取得した訪問情報に含まれるアクセスポイントに対する接続情報から端末２０を保有するユーザの行動履歴を分析し、行動履歴に適した販売促進情報を選択して配信するようにしてもよい。例えば、アクセスポイントの接続情報から、ユーザが移動した経路、滞在した店舗等に関する情報を取得することができ、これにより推測されるユーザの好みに適した販売促進情報を配信する。
【００４４】
図３に戻って、アクセスポイントＤＢ１２３は、配信システム１に含まれるアクセスポイントのＩＤと、設置場所とを関連付け、例えば、アクセスポイントリストとして記憶する。
【００４５】
図８は、アクセスポイントリストの一例を示す図である。図８において、配信システム１に含まれるアクセスポイントのＩＤと、当該アクセスポイントが設置されている場所とが関連付けられている。例えば、アクセスポイントＡＰ１は、Ｐ１に設置されている。図８では、設置場所が「Ｐ１」のような概念で示されているが、実際には、具体的な住所や、緯度経度等が関連付けられる。また、アクセスポイントごとに各アクセスポイントの通信エリアと関連付けてもよい。
【００４６】
次に、訪問情報ＤＢ１２４は、情報端末２０から取得した訪問情報を記憶する。訪問情報とは、情報端末２０の移動した場所を示す情報である。具体的には、例えば、情報端末２０のアクセスポイントに対する接続情報を含む情報である。また、接続情報とは、アクセスポイントのＩＤや接続日時である。
【００４７】
図９は、訪問情報の一例を示す図である。図９の例では、情報端末２０ごとに、情報端末２０がアクセスポイントに接続した日時、接続したアクセスポイントのＩＤが関連付けられている。また、接続したアクセスポイントのＩＤに基づいて、訪問促進情報を受信したか否かを示す受信フラグ、および受信した訪問促進情報に対応するアクセスポイントに接続したか否かを示す訪問フラグが関連付けられている。
【００４８】
例えば、「２０１９年１月１日１２時００分」にアクセスポイント「ＡＰ２」に接続し、訪問促進情報を受信した（受信フラグ「１」）ことを示している。また、「２０１９年１月１日１２時１０分」にアクセスポイント「ＡＰ１」に接続し、上記受信した訪問促進情報に対応するアクセスポイントに接続したこと（訪問フラグ「１」）を示している。
【００４９】
なお、本実施形態において、訪問促進情報に対応するアクセスポイントに情報端末が接続したことにより、訪問促進情報が訪問を促す場所に当該情報端末を保有するユーザが訪問したと判断する。これは、アクセスポイントへの接続が、情報端末が当該アクセスポイントの通信エリア内に位置していることを意味するからである。また、所定の期間以上、訪問促進情報に対応するアクセスポイントへの接続があったことにより、訪問促進情報が訪問を促す場所に訪問したと判断するようにしてもよい。
【００５０】
次に、追跡情報ＤＢ１２５は、情報端末２０が受信した販売促進情報に対応する行動を追跡する追跡情報を記憶する。例えば、販売促進情報を配信した情報端末について、販売促進情報が利用を促していたアプリケーションについての利用履歴を追跡情報として記憶する。利用履歴から、アプリケーションの利用があったか否かを示す追跡フラグを立ててもよい。追跡情報ＤＢ１２５では、各情報端末２０の追跡フラグを追跡情報リストとして記憶してもよい。
【００５１】
図１０は、追跡情報リストの一例を示す図である。図１０の例では、あるアクセスポイントから配信した販売促進情報を受信した情報端末と、当該情報端末が販売促進情報に対応する行動を追跡する追跡情報に基づいた追跡フラグとが関連付けられている。上述のように、販売促進情報が利用を促していたアプリケーションやＷｅｂサイトの閲覧などを示す利用履歴や閲覧情報に基づいて、利用や閲覧があれば、追跡フラグが立てられる。図１０において、例えば、端末２，３および６では、追跡フラグが「１」になっており、端末２，３および６では、販売促進情報に対応する行動が行われたことを意味している。
【００５２】
図３に戻って、制御部１３０について説明する。制御部１３０は、例えば、コントローラ（controller）であり、ＣＰＵ（Central Processing Unit）やＭＰＵ（Micro Processing Unit）等によって、配信サーバ１０の記憶部１２０に記憶されている各種プログラム（配信プログラムに相当。）がＲＡＭ（Random Access Memory)を作業領域として実行されることにより実現される。また、制御部１３０は、コントローラであり、例えば、ＡＳＩＣ（Application Specific Integrated Circuit）やＦＰＧＡ（Field Programmable Gate Array）等の集積回路により実現される。
【００５３】
制御部１３０は、受付部１３１と、配信部１３２と、位置情報取得部１３３と、訪問情報取得部１３４と、追跡情報取得部１３５と、評価部１３６と、を有する。なお、制御部１３０の内部構成は、図３に示した構成に限られず、後述する情報処理を行う構成であれば他の構成であってもよい。
【００５４】
受付部１３１は、通信部１１０を介して広告主端末４０から受信した訪問促進情報や販売促進情報を受け付ける。受付部１３１は、受け付けた訪問促進情報を、記憶部１２０の訪問促進情報ＤＢ１２１に格納する。また、受付部１３１は、受け付けた販売促進情報を、販売促進情報ＤＢ１２２に格納する。
【００５５】
配信部１３２は、通信部１１０を介して、所定のアクセスポイントから訪問促進情報や販売促進情報を配信する。例えば、訪問促進情報ＤＢ１２１に格納される配信リスト（図５参照）に従って、関連付けられたアクセスポイントから訪問促進情報を配信する。また、販売促進情報ＤＢ１２２に格納された配信リスト（図７参照）に従って、関連付けられたアクセスポイントから販売促進情報を配信する。配信部１３２は、例えば、プッシュ通知により訪問促進情報や販売促進情報を配信する。
【００５６】
また、配信部１３２は、後述する位置情報取得部１３３が取得した、情報端末２０の位置情報に基づいて、所定のエリアに位置する情報端末２０に対し、訪問促進情報を配信するようにしてもよい。例えば、配信部１３２は、訪問促進情報を配信するエリアとして予め広告主等から設定された領域に位置する情報端末を、取得した位置情報から判断する。そして、設定された所定のエリアに位置する情報端末２０と通信可能な通信エリアを有するアクセスポイントに対し、訪問促進情報を配信するよう通信部１１０を制御する。  
【００５７】
位置情報取得部１３３は、通信部１１０を介して情報端末２０の位置情報を取得する。位置情報取得部１３３は、取得した位置情報を配信部１３２に送る。また、取得した位置情報を、情報端末２０のＩＤと関連付け、訪問情報として訪問情報ＤＢ１２４に格納してもよい。その際、取得した位置情報が示す位置を通信エリアとするアクセスポイントと関連付けてもよい。
【００５８】
訪問情報取得部１３４は、通信部１１０を介して、情報端末２０が接続したアクセスポイントのＩＤおよび接続日時を取得する。訪問情報取得部１３４は、訪問促進情報ＤＢ１２１に格納された配信リスト（図５参照）に基づいて、取得したアクセスポイントのＩＤから、情報端末２０が訪問促進情報を受信しているか否かを判断する。訪問促進情報を受信していると判断した場合は、受信フラグを立てる。
【００５９】
また、訪問情報取得部１３４は、情報端末２０が受信した訪問促進情報に対応するアクセスポイントに、情報端末２０が接続しているか判断する。訪問情報取得部１３４は、訪問促進情報に対応するアクセスポイントに接続していると判断した場合は、例えば、訪問フラグを立てる。そして、アクセスポイントのＩＤ、接続日時、受信フラグ、訪問フラグを関連付けて訪問情報として、訪問情報ＤＢ１２４に格納する（図９参照）。なお、上述の訪問情報は一例であり、訪問情報は、情報端末２０が、受信した訪問促進情報に対応するアクセスポイントの通信エリアに移動したことを示す情報であれば、どのような態様であってもよい。
【００６０】
追跡情報取得部１３５は、通信部１１０を介して、情報端末２０から、販売促進情報に対応する行動を追跡する追跡情報を取得する。追跡情報取得部１３５は、例えば、販売促進情報として所定のアプリの利用を促す広告が配信された場合、情報端末２０において、当該アプリの利用履歴を追跡情報として取得する。追跡情報取得部１３５は、追跡情報に基づいて、販売促進情報に対応する行動が行われたかを判断した場合は、追跡フラグを立てて、情報端末２０のＩＤと関連付けて追跡情報ＤＢ１２５に格納する（図１０参照）。
【００６１】
図１１は、追跡情報を説明するための図である。図１１において、情報端末２０のディスプレイ４００には、「〇〇Ｐａｙ」（専用アプリケーション）の利用時における画面例が示されている。図６で示したように、販売促進情報として「○○Ｐａｙ」の利用が促された場合、情報端末２０において「○○Ｐａｙ」を利用して決済を行ったことを示す情報が、追跡情報として配信サーバ１０に送信される。追跡情報は、情報端末２０が受信した販売促進情報に基づいて、情報端末２０において生成され、配信サーバ１０に送信されてもよいし、配信サーバ１０において、販売促進情報の配信履歴および情報端末２０におけるアプリの利用履歴から追跡情報を生成するようにしてもよい。
【００６２】
評価部１３６は、訪問情報ＤＢ１２４や追跡情報ＤＢ１２５に格納された訪問情報や追跡情報に基づいて、促進情報の効果を評価する。例えば、訪問情報から、訪問促進情報を受信した情報端末のうち、訪問促進情報に対応する場所へ訪問した情報端末の割合（訪問率）を算出する。また、評価部１３６は、販売促進情報を受信した情報端末のうち、販売促進情報に対応する行動を行った情報端末の割合（例えば、アプリ利用率）を算出する。これにより、促進情報の効果を評価することができる。また、アクセスポイント設置の前後において、訪問率やアプリ利用率の変化を比較することで、アクセスポイント設置が収益と関連しているか判断することができ、アクセスポイント設置の効果についても評価することができる。
【００６３】
（情報端末２０の機能構成）
図１２は、情報端末２０の機能構成の一例を示す機能ブロック図である。図１２を参照して、情報端末２０の機能構成について説明する。なお、本実施形態の情報端末２０は、図１２の構成要素（各部）の一部を省略した構成としてもよい。
【００６４】
情報端末２０は、例えば、スマートフォンを含む携帯電話機や、タブレット端末や、ノート型ＰＣや、ＰＤＡ（Personal Digital Assistant）等の携帯端末である。また、情報端末２０には、眼鏡型や時計型の情報処理端末であるウェアラブルデバイス（wearable device）も含まれる。さらに、情報端末２０には、インターネット等に接続可能な通信機能や、位置情報を取得するための情報処理機能を有する種々のスマート機器が含まれてもよい。例えば、情報端末２０には、自動車などのスマートビークル（Smart vehicle）などが含まれてもよい。
【００６５】
図１２において、情報端末２０は、通信部２１０と、入力部２２０と、出力部２３０と、検知部２４０と、制御部２５０と、記憶部２６０と、を有する。
【００６６】
通信部２１０は、配信サーバ１０等と、ネットワークＮＷを介した通信を行うための各種制御を行うものであり、その機能は、各種プロセッサ又は通信用ＡＳＩＣなどのハードウェアや、プログラムなどにより実現できる。例えば、通信部２１０は、配信サーバ１０に対して、アクセスポイントの接続情報、位置情報などの訪問情報や、アプリの利用履歴などの追跡情報を送信する。
【００６７】
入力部２２０は、ユーザから各種操作を受け付ける入力インターフェイスである。例えば、入力部２２０は、情報端末２０に備えられた操作キーやボタン、タッチパネル、音声入力のためのマイク等によって実現される。
【００６８】
出力部２３０は、各種情報を出力するための表示装置や、スピーカであって、例えば、液晶ディスプレイやスマートスピーカ等によって実現される。なお、情報端末２０にタッチパネルが採用される場合には、入力部２２０の一部と出力部２３０とは一体化される。例えば、配信サーバ１０から配信された促進情報は、出力部２３０の表示装置に表示される。また、促進情報は、スピーカ（不図示）を介して音声出力されてもよい。
【００６９】
検知部２４０は、情報端末２０の位置に関する各種情報を検知する。具体的には、検知部２４０は、衛星測位システムから送出される電波を受信し、受信した電波に基づいて情報端末２０の現在位置を示す位置情報（例えば、緯度及び経度）を検知する。なお、検知部２４０は、異なる手法により位置情報を取得してもよい。例えば、情報端末２０が駅改札や商店等で使用される非接触型ＩＣカードと同等の機能を備えている場合（もしくは、情報端末２０が非接触型ＩＣカードの履歴を読み取る機能を備えている場合）、情報端末２０によって駅での乗車料金の決済等が行われた情報とともに、使用された位置が記録される。検知部２４０は、この情報を検知し、位置情報として取得する。
【００７０】
制御部２５０は、例えば、コントローラであり、ＣＰＵやＭＰＵ等によって、情報端末２０内部の記憶部２６０に記憶されている各種プログラムがＲＡＭを作業領域として実行されることにより実現される。また、制御部２５０は、コントローラであり、例えば、ＡＳＩＣやＦＰＧＡ等の集積回路により実現される。
【００７１】
制御部２５０は、配信サーバ１０に情報端末２０の訪問情報や追跡情報を提供する処理を制御する。例えば、制御部２５０は、情報端末２０の訪問情報や追跡情報の提供処理を実現するためのプログラム（例えば、スマートフォン専用アプリ）を実行制御する。プログラムは、予め情報端末２０にインストールされていてもよいし、情報端末２０を保有するユーザによる操作に従って配信サーバ１０（または、各種プログラムを提供する外部サーバ）からダウンロードされ、情報端末２０にインストールされてもよい。
【００７２】
制御部２５０は、接続制御部２５１と、情報取得部２５２と、出力制御部２５３と、を有し、以下に説明する情報処理の機能や作用を、ＲＡＭを作業領域として上述したプログラムを実行することにより、実現または実行する。
【００７３】
接続制御部２５１は、情報端末２０の通信エリア内にあるアクセスポイントと接続するよう通信部２１０を制御する。接続制御部２５１は、通信速度等を考慮して接続先のアクセスポイントを選択してもよい。
【００７４】
情報取得部２５２は、通信部２１０を介して情報端末２０が接続しているアクセスポイントのＩＤを取得する。また、情報取得部２５２は、検知部２４０から情報端末２０の位置情報を取得する。情報取得部２５２は、取得したアクセスポイントのＩＤや位置情報を記憶部２６０に記憶させてもよい。また、情報取得部２５２は、取得したアクセスポイントのＩＤや位置情報は、通信部２１０を介して配信サーバ１０に送信する。
【００７５】
また、情報取得部２５２は、情報端末２０で実行されたアプリケーションの利用履歴に基づいて追跡情報を生成してもよい。例えば、情報取得部２５２は、通信部２１０を介して取得した販売促進情報で提示されたアプリケーションの利用履歴から、アプリケーションが利用されたと判断した場合は、効果フラグを「１」とした追跡情報を生成する。アプリケーションの利用がないと判断した場合は、追跡フラグを「０」とした追跡情報を生成する。
【００７６】
出力制御部２５３は、配信サーバ１０から配信された訪問促進情報や販売促進情報を出力部２３０に出力するよう制御する。例えば、図４や図６で示したように、訪問促進情報や販売促進情報をディスプレイに表示させてもよいし、音声出力してもよい。
【００７７】
記憶部２６０は、ＣＰＵやＭＰＵ等のコントローラによって実行される各種プログラムや、制御部２５０によって取得された訪問情報等を記憶する。制御部２５０は、記憶された訪問情報等を、所定のタイミングで配信サーバ１０に送信するようにしてもよい。
【００７８】
（配信システム１における処理の流れ）
図１３および図１４は、配信システム１の処理の流れを示すシーケンス図である。図１３および図１４を参照して、配信システム１における処理の流れを説明する。なお、図１３および図１４で示す処理は、配信システム１の処理の一例である。配信システム１の処理として、この他にも、上述した配信サーバ１０の各機能構成等の処理を組み合わせてもよい。
【００７９】
まず、図１３を参照して処理を説明する。ステップＳ１０１において、広告主端末４０は、広告主等から入力された訪問促進情報および販売促進情報を、配信サーバ１０に送信する。
【００８０】
ステップＳ１０２において、配信サーバ１０は、促進情報を受け付け、記憶部１２０の各データベースに格納する。
【００８１】
ステップＳ１０３において、情報端末２０は、アクセスポイント３０に接続する。例えば、情報端末２０は、情報端末２０の通信エリアに設置されたアクセスポイント３０のうち、通信速度等を考慮して、接続先のアクセスポイントを選択してもよい。
【００８２】
ステップＳ１０４において、アクセスポイント３０は、接続した情報端末２０に対し、アクセスポイントのＩＤを送信する。情報端末２０は、受信したアクセスポイントのＩＤを接続履歴として記憶部２６０に記憶するようにしてもよいし、配信サーバ１０に訪問情報として送信してもよい。
【００８３】
ステップＳ１０５において、配信サーバ１０は、ステップＳ１０２で受け付けた訪問促進情報を、配信リスト（図５参照）に基づいて、設定されたアクセスポイントから配信する。
【００８４】
ステップＳ１０６において、情報端末２０は、訪問促進情報を受信する。
【００８５】
ステップＳ１０７において、情報端末２０は、受信した訪問促進情報を、例えばディスプレイ等に表示し、ユーザに提示する。
【００８６】
続いて、図１４を参照して、図１３で説明した後の処理について説明する。
【００８７】
ステップＳ２０１において、情報端末２０は、通信エリアに設置されているアクセスポイント３０に接続する。例えば、情報端末２０は、ユーザが移動するのに伴い、接続するアクセスポイントを切り替える。
【００８８】
ステップＳ２０２において、アクセスポイント３０は、接続した情報端末２０に対し、アクセスポイントのＩＤを送信する。
【００８９】
ステップＳ２０３において、情報端末２０は、ステップＳ２０２において送信されたアクセスポイントのＩＤ（接続情報）を訪問情報として配信サーバ１０に送信する。
【００９０】
ステップＳ２０４において、配信サーバ１０は、受信した訪問情報を記憶する。また、配信サーバ１０は、訪問情報から、情報端末２０が受信した訪問促進情報に対応したアクセスポイントに接続したかを判断する。例えば、訪問情報（図９参照）において、訪問フラグが立っているかを判断する。
【００９１】
ステップＳ２０５において、配信サーバ１０は、訪問促進情報に対応するアクセスポイントに接続している情報端末２０に対し、販売促進情報を配信する。配信サーバ１０は、例えば、販売促進情報の配信リスト（図７参照）に基づいて、訪問促進情報に対応しているアクセスポイントに接続している情報端末２０に対し、当該アクセスポイントから配信されるように設定されている販売促進情報を配信する。
【００９２】
ステップＳ２０６において、情報端末２０は、配信された販売促進情報を、例えばディスプレイ等に表示し、ユーザに提示する。
【００９３】
ステップＳ２０７において、情報端末２０は、例えば、ユーザの操作等により、販売促進情報が利用を促した、アプリケーション等を起動する。また、ユーザの操作等により、情報端末２０において、アプリケーションの利用履歴が記憶される。
【００９４】
ステップＳ２０８において、情報端末２０は、情報端末２０において利用されるアプリケーションの利用履歴等を追跡情報として配信サーバ１０に送信する。
【００９５】
ステップＳ２０９において、配信サーバ１０は、情報端末２０からの追跡情報を受信し、記憶部１２０のデータベースに格納する。
【００９６】
ステップＳ２１０において、配信サーバ１０は、訪問情報ＤＢ１２４や追跡情報ＤＢ１２５に格納された訪問情報や追跡情報に基づいて、促進情報の効果を評価する。例えば、訪問情報から、訪問促進情報を受信した情報端末のうち、訪問促進情報に対応する場所へ訪問した情報端末の割合（訪問率）を算出する。また、販売促進情報を受信した情報端末のうち、販売促進情報に対応する行動を行った情報端末の割合（例えば、アプリ利用率）を算出する。
【００９７】
ステップＳ２１１において、配信サーバ１０は、ステップＳ２１０において評価した、促進情報の効果に関する評価情報を広告主端末４０に送信する。広告主端末４０は、受信した評価情報を広告主等に送信するようにしてもよい。
【００９８】
以上のようにして、配信システム１における処理は終了する。
【００９９】
（ハードウェア構成図）
図１５は、配信サーバ１０のハードウェア構成を示すブロック図である。配信サーバ１０は、コンピュータ５０１に実装される。コンピュータ５０１は、ＣＰＵ５０２と、主記憶装置５０３と、補助記憶装置５０４と、インターフェイス５０５と、を備える。
【０１００】
配信サーバ１０の各構成要素の動作は、プログラムの形式で補助記憶装置５０４に記憶されている。ＣＰＵ５０２は、プログラムを補助記憶装置５０４から読み出して主記憶装置５０３に展開し、当該プログラムに従って上記処理を実行する。また、ＣＰＵ５０２は、プログラムに従って、記憶領域を主記憶装置５０３に確保する。当該プログラムは、具体的には、コンピュータ５０１に、促進情報を配信し、アクセスポイント設置の効果を評価する配信プログラムである。
【０１０１】
なお、補助記憶装置５０４は、一時的でない有形の媒体の一例である。一時的でない有形の媒体の他の例としては、インターフェイス５０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ５０１に配信される場合、配信を受けたコンピュータ５０１が当該プログラムを主記憶装置５０３に展開し、処理を実行してもよい。
【０１０２】
また、当該プログラムは、前述した機能の一部を実現するためのものであってもよい。さらに、当該プログラムは、前述した機能を補助記憶装置５０４に既に記憶されている他のプログラムとの組み合わせで実現するもの、いわゆる差分ファイル（差分プログラム）であってもよい。なお、図１５に示したハードウェア構成は、情報端末２０、および広告主端末４０も同様の構成としてもよい。これらの装置における各構成要素の動作も、上述の配信サーバ１０と同様に、補助記憶装置に記憶されたプログラムに従ったＣＰＵにより実現する。
【０１０３】
（効果の説明）
上述したように、本実施形態に係る配信システムは、アクセスポイントが設置された場所（例えば、店舗等）への訪問を促す訪問促進情報を情報端末へ配信する。そして、訪問促進情報に対応するアクセスポイントの通信エリアに移動した情報端末に対し、当該アクセスポイントを介して、販売促進情報を配信する。このようにアクセスポイントを介して訪問促進情報や販売促進情報を配信することにより、アクセスポイントを利用して収益につなげることができる。
【０１０４】
また、本実施形態に係る配信システムは、訪問促進情報、販売促進情報を配信した情報端末から、情報端末が移動した場所を示す訪問情報や、販売促進情報に対応する行動を追跡する追跡情報を取得し、取得した情報に基づいて、促進情報の効果を評価する。これにより、広告主は、促進情報による収益を把握することがでる。また、そのような収益につながるアクセスポイント設置に対するモチベーションの向上に役立てることができる。
【０１０５】
＜実施形態の変形例＞
追跡情報を、情報端末からの利用履歴に基づいて取得するのではなく、販売促進情報が利用を促したアプリケーションの運営会社から取得した利用履歴等に基づいて取得してもよい。例えば、販売促進情報が利用を促した決済アプリの運営会社から決済情報を取得し、決済情報に含まれる決済を行った端末のＩＤと、販売促進情報を受信した端末ＩＤとを突き合わせて、販売促進情報を受信した端末が決済を行ったか否かを追跡するようにしてもよい。決済が行われた端末については、図１０で示したように追跡フラグ「１」を立てればよい。
【０１０６】
本実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１０７】
１  配信システム、１０  配信サーバ、２０  情報端末、３０  公衆無線ＬＡＮアクセスポイント、４０  広告主端末、１１０，２１０  通信部、１２０，２６０  記憶部、１２１  訪問促進情報ＤＢ、１２２  販売促進情報ＤＢ、１２３  アクセスポイントＤＢ、１２４  訪問情報ＤＢ、１２５  追跡情報ＤＢ、１３０，２５０  制御部、１３１  受付部、１３２  配信部、１３３  位置情報取得部、１３４  訪問情報取得部、１３５  追跡情報取得部、１３６  評価部、２２０  入力部、２３０  出力部、２４０  検知部、２５１  接続制御部、２５２  情報取得部、２５３  出力制御部、５０１  コンピュータ、５０２  ＣＰＵ、５０３  主記憶装置、５０４  補助記憶装置、５０５  インターフェイス
【図１】
2020119280.tif 000003
【図２】
2020119280.tif 000004
【図３】
2020119280.tif 000005
【図４】
2020119280.tif 000006
【図５】
2020119280.tif 000007
【図６】
2020119280.tif 000008
【図７】
2020119280.tif 000009
【図８】
2020119280.tif 000010
【図９】
2020119280.tif 000011
【図１０】
2020119280.tif 000012
【図１１】
2020119280.tif 000013
【図１２】
2020119280.tif 000014
【図１３】
2020119280.tif 000015
【図１４】
2020119280.tif 000016
【図１５】
2020119280.tif 000017
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
アクセスポイントが設置された場所への訪問を促す訪問促進情報を受け付ける訪問促進情報受付部と、
前記訪問促進情報に対応するアクセスポイントとは異なる他のアクセスポイントに接続している情報端末に対し、前記訪問促進情報を配信する訪問促進情報配信部と、
前記訪問促進情報を受信した情報端末から、情報端末の移動した場所を示す訪問情報を取得する訪問情報取得部と、
前記訪問情報に基づいて、前記訪問促進情報に対応するアクセスポイントに接続している情報端末に対し、当該アクセスポイントが設置された場所における、当該情報端末を保有するユーザに適した販売促進情報を配信する販売促進情報配信部と、
前記販売促進情報を受信した情報端末から、前記販売促進情報に対応する行動を追跡する追跡情報を取得する追跡情報取得部と、
を備える配信サーバ。
【請求項２】
前記訪問情報は、前記情報端末のアクセスポイントに対する接続情報を含む、請求項１に記載の配信サーバ。
【請求項３】
情報端末の位置情報を取得する位置情報取得部をさらに備え、
前記訪問促進情報配信部は、前記位置情報に基づき、所定のエリアに位置する情報端末に対し、前記訪問促進情報を配信する、請求項１または請求項２に記載の配信サーバ。
【請求項４】
前記所定のエリアは、前記アクセスポイントの通信エリアとは異なる、請求項３に記載の配信サーバ。
【請求項５】
前記訪問情報および前記追跡情報に基づき、前記訪問促進情報および販売促進情報の効果を評価する評価部をさらに備える、請求項１から請求項４のいずれか一項に記載の配信サーバ。
【請求項６】
前記訪問促進情報は、アクセスポイントが設置された店舗への来店を促す情報であり、前記販売促進情報は、前記店舗において提供される商品に関する情報である、請求項１から請求項５のいずれか一項に記載の配信サーバ。
【請求項７】
アクセスポイントが設置された場所への訪問を促す訪問促進情報を受け付ける訪問促進情報受付部と、
前記訪問促進情報に対応するアクセスポイントとは異なる他のアクセスポイントに接続している情報端末に対し、前記訪問促進情報を配信する訪問促進情報配信部と、
前記訪問促進情報を受信した情報端末から、情報端末の移動した場所を示す訪問情報を取得する訪問情報取得部と、
前記訪問情報に基づいて、前記訪問促進情報に対応するアクセスポイントに接続している情報端末に対し、当該アクセスポイントが設置された場所における、当該情報端末を保有するユーザに適した販売促進情報を配信する販売促進情報配信部と、
前記販売促進情報を受信した情報端末から、前記販売促進情報に対応する行動を追跡する追跡情報を取得する追跡情報取得部と、
を備える配信システム。
【請求項８】
制御部を備えるコンピュータにおいて実行される配信方法であって、
前記制御部が、アクセスポイントが設置された場所への訪問を促す訪問促進情報を受け付けるステップと、
前記制御部が、前記訪問促進情報に対応するアクセスポイントとは異なる他のアクセスポイントに接続している情報端末に対し、前記訪問促進情報を配信するステップと、
前記制御部が、前記訪問促進情報を受信した情報端末から、情報端末の移動した場所を示す訪問情報を取得するステップと、
前記制御部が、前記訪問情報に基づいて、前記訪問促進情報に対応するアクセスポイントに接続している情報端末に対し、当該アクセスポイントが設置された場所における、当該情報端末を保有するユーザに適した販売促進情報を配信するステップと、
前記制御部が、前記販売促進情報を受信した情報端末から、前記販売促進情報に対応する行動を追跡する追跡情報を取得するステップと、
を備える配信方法。
【請求項９】
請求項８に記載の配信方法をコンピュータに実行させるための配信プログラム。